(57)【要約】【課題】斬新な態様で発光することができる車両表示装置用指針、及び、車両表示装置を提供する。【解決手段】指針プリズム部材３１は、光透過性材料によって指針延在方向Ｘ１に沿って延在し指針延在方向Ｘ１の一方側の端部である後端部３１ｅから遠ざかるにしたがって細く形成される。指針プリズム部材３１は、第１反射面３１ｂと、第２反射面３１ｃと、出射面３１ｄとを有する。指針指示部材３２は、光透過性材料によって指針延在方向Ｘ１に沿って延在し、指針延在方向Ｘ１と交差する指針幅方向に沿って板状に形成される。そして、指針指示部材３２は、指針プリズム部材３１側の接続面が当該指針プリズム部材３１に接続され、接続面とは反対側の視認面側から指針プリズム部材３１の露出部分を覆う。【選択図】図５
2018197655.tif 000002
【特許請求の範囲】
【請求項１】
光透過性材料によって指針延在方向に沿って延在し前記指針延在方向の一方側の端部である後端部から遠ざかるにしたがって細く形成された第１光透過体、及び、光透過性材料によって前記指針延在方向に沿って延在し前記指針延在方向と交差する指針幅方向に沿って板状に形成され前記第１光透過体側の接続面が当該第１光透過体に接続され前記接続面とは反対側の視認面側から前記第１光透過体の露出部分を覆う第２光透過体、を有する指針発光体を備え、
前記第１光透過体は、
前記後端部に設けられ入射した入射光を反射する第１反射面と、
前記入射光の光軸方向である指針光軸方向において前記第２光透過体とは反対側の端部に設けられ、前記第１反射面により反射された前記入射光を前記指針光軸方向に沿って前記第２光透過体側に反射する第２反射面と、
前記指針光軸方向において前記第２光透過体側の端部に設けられ、前記第２光透過体の前記接続面に接続され、前記第２反射面により反射された前記入射光を前記指針光軸方向に沿って前記第２光透過体側に出射する出射面と、を有することを特徴とする車両表示装置用指針。
【請求項２】
前記第２光透過体は、前記視認面に設けられ入射する入射光の一部を反射すると共に当該入射光の残りを透過する反射部材を有する請求項１に記載の車両表示装置用指針。
【請求項３】
前記第２反射面は、凹凸形状に形成された拡散層を有する請求項１又は２に記載の車両表示装置用指針。
【請求項４】
光を照射する光源と、
回転駆動可能な回転軸を有する駆動部と、
前記光源、及び、前記駆動部を収容する筐体と、
前記回転軸に接続され回転駆動される指針とを備え、
前記指針は、
光透過性材料によって指針延在方向に沿って延在し前記指針延在方向の一方側の端部である後端部から遠ざかるにしたがって細く形成された第１光透過体、及び、光透過性材料によって前記指針延在方向に沿って延在し前記指針延在方向と交差する指針幅方向に沿って板状に形成され前記第１光透過体側の接続面が当該第１光透過体に接続され前記接続面とは反対側の視認面側から前記第１光透過体の露出部分を覆う第２光透過体、を有する指針発光体を備え、
前記第１光透過体は、
前記後端部に設けられ前記光源から入射した入射光を反射する第１反射面と、
前記入射光の光軸方向である指針光軸方向において前記第２光透過体とは反対側の端部に設けられ、前記第１反射面により反射された前記入射光を前記指針光軸方向に沿って前記第２光透過体側に反射する第２反射面と、
前記指針光軸方向において前記第２光透過体側の端部に設けられ、前記第２光透過体の前記接続面に接続され、前記第２反射面により反射された前記入射光を前記指針光軸方向に沿って前記第２光透過体側に出射する出射面と、を有することを特徴とする車両表示装置。
【発明の詳細な説明】
【技術分野】
【０００１】
本発明は、車両表示装置用指針、及び、車両表示装置に関する。
【背景技術】
【０００２】
車両表示装置に適用される従来の車両表示装置用指針として、例えば、特許文献１には、光源からの光を受光する指針基部と、指針基部の一方向に棒状に延在する指針延在部と、指針基部で受光した光を指針延在部の先端側に向けて反射する反射面と、を有する透光性の樹脂部材からなる自発光指針が開示されている。
【先行技術文献】
【特許文献】
【０００３】
【特許文献１】特開２０１１−６４６９６号公報
【発明の概要】
【発明が解決しようとする課題】
【０００４】
ところで、上述の特許文献１に記載の自発光指針は、斬新な態様で指針延在部を発光させることが望まれている。
【０００５】
そこで、本発明は、上記に鑑みてなされたものであって、斬新な態様で発光することができる車両表示装置用指針、及び、車両表示装置を提供することを目的とする。
【課題を解決するための手段】
【０００６】
上述した課題を解決し、目的を達成するために、本発明に係る車両表示装置用指針は、光透過性材料によって指針延在方向に沿って延在し前記指針延在方向の一方側の端部である後端部から遠ざかるにしたがって細く形成された第１光透過体、及び、光透過性材料によって前記指針延在方向に沿って延在し前記指針延在方向と交差する指針幅方向に沿って板状に形成され前記第１光透過体側の接続面が当該第１光透過体に接続され前記接続面とは反対側の視認面側から前記第１光透過体の露出部分を覆う第２光透過体、を有する指針発光体を備え、前記第１光透過体は、前記後端部に設けられ入射した入射光を反射する第１反射面と、前記入射光の光軸方向である指針光軸方向において前記第２光透過体とは反対側の端部に設けられ、前記第１反射面により反射された前記入射光を前記指針光軸方向に沿って前記第２光透過体側に反射する第２反射面と、前記指針光軸方向において前記第２光透過体側の端部に設けられ、前記第２光透過体の前記接続面に接続され、前記第２反射面により反射された前記入射光を前記指針光軸方向に沿って前記第２光透過体側に出射する出射面と、を有することを特徴とする。
【０００７】
また、上記車両表示装置用指針において、前記第２光透過体は、前記視認面に設けられ入射する入射光の一部を反射すると共に当該入射光の残りを透過する反射部材を有することが好ましい。
【０００８】
また、上記車両表示装置用指針において、前記第２反射面は、凹凸形状に形成された拡散層を有することが好ましい。
【０００９】
また、本発明に係る車両表示装置は、光を照射する光源と、回転駆動可能な回転軸を有する駆動部と、前記光源、及び、前記駆動部を収容する筐体と、前記回転軸に接続され回転駆動される指針とを備え、前記指針は、光透過性材料によって指針延在方向に沿って延在し前記指針延在方向の一方側の端部である後端部から遠ざかるにしたがって細く形成された第１光透過体、及び、光透過性材料によって前記指針延在方向に沿って延在し前記指針延在方向と交差する指針幅方向に沿って板状に形成され前記第１光透過体側の接続面が当該第１光透過体に接続され前記接続面とは反対側の視認面側から前記第１光透過体の露出部分を覆う第２光透過体、を有する指針発光体を備え、前記第１光透過体は、前記後端部に設けられ前記光源から入射した入射光を反射する第１反射面と、前記入射光の光軸方向である指針光軸方向において前記第２光透過体とは反対側の端部に設けられ、前記第１反射面により反射された前記入射光を前記指針光軸方向に沿って前記第２光透過体側に反射する第２反射面と、前記指針光軸方向において前記第２光透過体側の端部に設けられ、前記第２光透過体の前記接続面に接続され、前記第２反射面により反射された前記入射光を前記指針光軸方向に沿って前記第２光透過体側に出射する出射面と、を有することを特徴とする。
【発明の効果】
【００１０】
本発明に係る車両表示装置用指針、及び、車両表示装置は、指針延在方向に沿って延在し後端部から遠ざかるにしたがって細く形成された第１光透過体、及び、指針延在方向に沿って延在し指針延在方向と交差する指針幅方向に沿って板状に形成され第１光透過体側の接続面が当該第１光透過体に接続され接続面とは反対側の視認面側から第１光透過体の露出部分を覆う第２光透過体、を有する指針発光体を備える。そして、第１光透過体は、入射光を反射する第１反射面と、第１反射面により反射された入射光を第２光透過体側に反射する第２反射面と、第２反射面により反射された入射光を第２光透過体側に出射する出射面とを有する。この構成により、車両表示装置用指針、及び、車両表示装置は、斬新な態様で発光することができる。
【図面の簡単な説明】
【００１１】
【図１】図１は、実施形態に係る車両表示装置の概略構成例を示す斜視図である。
【図２】図２は、実施形態に係る車両表示装置の指針の構成例を示す斜視図である。
【図３】図３は、実施形態に係る車両表示装置の指針の構成例を示す分解斜視図である。
【図４】図４は、実施形態に係る車両表示装置の指針の構成例を示す正面図である。
【図５】図５は、図４に示すＳ１１−Ｓ１１断面図である。
【図６】図６は、図４に示すＳ１２−Ｓ１２断面図である。
【図７】図７は、実施形態に係る車両表示装置の指針の発光例を示す正面図である。
【図８】図８は、実施形態に係る車両表示装置の指針の非発光例を示す正面図である。
【図９】図９は、変形例に係る車両表示装置の指針の構成例を示す断面図である。
【図１０】図１０は、変形例に係る車両表示装置の指針の構成例を示す断面図である。
【図１１】図１１は、参考例に係る車両表示装置の指針の構成例を示す斜視図である。
【図１２】図１２は、参考例に係る車両表示装置の指針の構成例を示す分解斜視図である。
【図１３】図１３は、参考例に係る車両表示装置の指針の構成例を示す正面図である。
【図１４】図１４は、図１３に示すＳ１３−Ｓ１３断面図である。
【図１５】図１５は、図１３に示すＳ１４−Ｓ１４断面図である。
【図１６】図１６は、図１３に示すＳ１５−Ｓ１５断面図である。
【図１７】図１７は、参考例に係る車両表示装置の指針の発光例を示す正面図である。
【発明を実施するための形態】
【００１２】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１３】
〔実施形態〕
本実施形態に係る車両表示装置用指針としての指針１は、図１に示すように、車両に搭載される車両表示装置１００に適用される。車両表示装置１００は、いわゆる車載メータを構成するものであり、例えば、車両のダッシュボードに設けられたインストルメントパネルに搭載され、車両の運転に供される情報として当該車両に関する種々の情報を表示する。
【００１４】
なお、図１等に示す車両表示装置１００の幅方向Ｘとは、典型的には、この車両表示装置１００が適用される車両の車幅方向に相当する。車両表示装置１００の奥行き方向Ｙとは、典型的には、この車両表示装置１００が適用される車両の前後方向に相当する。また、車両表示装置１００の前面側とは、奥行き方向Ｙにおいて車両の運転席と対面する側、つまり、目視位置ＥＰが位置する側である。ここで、目視位置ＥＰは、典型的には、車両表示装置１００が適用される車両におけるいわゆるアイレンジ内に位置するものとして予め想定される。ここで、アイレンジとは、「自動車の運転者アイレンジ」であり、車両に応じて予め定まる運転者の視点が位置する領域に相当する。アイレンジは、典型的には、車両において運転者の目の位置の分布を統計的に表したものであり、例えば、運転者が運転席に座った状態で所定割合（例えば、９５％）の運転者の目の位置が含まれる領域に相当する。一方、車両表示装置１００の背面側とは、奥行き方向Ｙにおいて前面側とは反対側であり、典型的には、インストルメントパネルの内部に収容される側である。車両表示装置１００の高さ方向Ｚとは、典型的には、この車両表示装置１００が適用される車両の高さを示す方向に相当し、例えば、鉛直方向に沿った方向である。また、以下の説明で用いる各方向は、特に断りのない限り、車両表示装置１００がインストルメントパネルに組み付けられた状態での方向を表す。
【００１５】
具体的には、車両表示装置１００は、車両に関する種々の情報を表示する表示部１０１と、樹脂材料等によって構成され表示部１０１等を収容する筐体１０２とを備える。表示部１０１は、車両表示装置１００の各部を収容する筐体１０２内に配置されると共に各種情報の表示面が奥行き方向Ｙの前面側に露出する。筐体１０２は、例えば、奥行き方向Ｙの背面側に配置される背面カバー、背面カバーの奥行き方向Ｙの前面側に配置されるケース本体、ケース本体の奥行き方向Ｙの前面側に配置される見返し部材等を含んで構成され、これらによって区画される空間部内に表示部１０１が配置される。そして、筐体１０２は、見返し部材に形成される開口を介して各表示部１０１の表示面が奥行き方向Ｙの前面側に露出する。ここでは、表示部１０１は、一例として、車両に関する情報として、車速を表示する速度計１０１Ａ、走行用動力源の出力回転数を表示する回転計１０１Ｂ等を含んで構成される。速度計１０１Ａ、回転計１０１Ｂは、それぞれ文字板１０３、指針１等を含んで構成され、車両に関する種々の計測値を当該指針１によってアナログ式で表示するアナログ計器である。文字板１０３は、車両に関する情報として、例えば、速度、出力回転数等の計測値を表し指針１によって指し示される指標部やウォーニング表示用の図柄等が描かれている。文字板１０３は、例えば、透明生地のポリカーボネイト製シートであり、暗色系のインクによって、上記指標部やウォーニング表示用の図柄等に対応した形状が中抜きされた印刷が施される。表示部１０１は、光源部から照射される光が、文字板１０３において指標部やウォーニング表示用の図柄等が切り抜きされた部分を透過することで当該指標部やウォーニング表示用の図柄等が表示状態となる。指針１によって指し示される指標部は、この指針１の先端の回動軌跡に沿った円弧、当該円弧に沿って等間隔で付された複数の目盛、数字等を含んで構成される。指針１は、表示部１０１の一部を構成し、車両に関する情報を指し示す。指針１は、文字板１０３の奥行き方向Ｙの前面側に位置し、車両に関する種々の計測値（速度、出力回転数等）に応じて指標部の所定の位置を指し示す。各表示部１０１は、指針１によって現在の速度、出力回転数が指し示される。
【００１６】
以下、図２、図３、図４、図５、図６の各図を参照して上記のような車両表示装置１００に適用される指針１の各構成について詳細に説明する。なお、以下で説明する指針１において、互いに交差する第１方向、第２方向、及び、第３方向のうち、第１方向を「指針延在方向Ｘ１」とし、第２方向を「指針光軸方向Ｙ１」とし、第３方向を「指針幅方向Ｚ１」とする。ここでは、指針延在方向Ｘ１と指針光軸方向Ｙ１と指針幅方向Ｚ１とは、相互に略直交する。典型的には、指針光軸方向Ｙ１は、奥行き方向Ｙに沿った方向である。以下の説明で用いる各方向は、特に断りのない限り、指針１の各部が互いに組み付けられた状態での方向を表す。また、速度計１０１Ａの指針１と回転計１０１Ｂの指針１とは、略同様の構成であるのでここでは共通の説明とする。
【００１７】
ここでまず、指針１を回転駆動させるための構成について説明する。指針１は、図５に示すように、筐体１０２（図１参照）内に配置される駆動部としてのモータ１０４によって回転駆動される。モータ１０４は、筐体１０２内に配置される配線板１０５の奥行き方向Ｙの前面側の実装面に実装される。モータ１０４は、指針１の駆動源であり、回転駆動可能である回転軸１０６を有する。回転軸１０６は、モータ１０４のロータ軸を構成するものである。また、車両表示装置１００は、モータ１０４と配線板１０５との間の実装面に実装される光源１０７を備え、回転軸１０６は、指針光軸方向Ｙ１（奥行き方向Ｙ）に対して、当該光源１０７と対向する位置に設けられ、指針光軸方向Ｙ１に沿って延在する。モータ１０４、光源１０７は、配線板１０５の実装面に実装されて筐体１０２（図１参照）内に収容される。光源１０７は、奥行き方向Ｙ（指針光軸方向Ｙ１）の前面側に向けて光を照射するものである。つまりここでは、光源１０７による光の照射方向、言い換えれば、光源１０７の光軸方向は、指針光軸方向Ｙ１に沿った方向である。光源１０７は、例えば、ＬＥＤ（Ｌｉｇｈｔ  Ｅｍｉｔｔｉｎｇ  Ｄｉｏｄｅ）素子等によって構成されるがこれに限らない。そして、本実施形態の回転軸１０６は、光を透過する光透過性の樹脂材料によって形成され、奥行き方向Ｙ（指針光軸方向Ｙ１）に対して光源１０７と対向すると共にモータ１０４から奥行き方向Ｙに沿って柱状に延在するようにして奥行き方向Ｙの前面側に突設される。回転軸１０６は、光源１０７側とは反対側の端部、すなわち、奥行き方向Ｙの前面側の端部に指針１が接続される。回転軸１０６は、光源１０７から照射された光を指針１側に導く導光軸として機能する。すなわち、回転軸１０６は、光源１０７から照射された光が当該光源１０７側の端部に入射し、当該入射した光を奥行き方向Ｙの前面側の指針１側に導光し出射する。指針１は、文字板１０３の奥行き方向Ｙの前面側に位置し、回転軸１０６に接続されモータ１０４が駆動することで回転駆動されると共に光源１０７からの光によって発光する。
【００１８】
より具体的には、本実施形態の指針１は、図２、図３、図４、図５、図６に示すように、接続基部としての指針基部２と、指針発光体３と、指針遮光体としての指針キャップ４とを備え、上記のように回転軸１０６を介して導光された光によって指針発光体３の全体が発光する。
【００１９】
具体的には、指針基部２は、図３、図５等に示すように、回転軸１０６と指針発光体３とを接続し、指針発光体３を回転軸１０６に一体回転可能に支持する接続支持部材である。指針基部２は、接続板２１と、円筒軸部２２とを有し、これらが光を遮光する遮光性の樹脂材料によって一体に形成される。
【００２０】
接続板２１は、円筒軸部２２の指針光軸方向Ｙ１の前面側に設けられ、指針発光体３を接続する部分である。接続板２１は、略円形板状に形成され、開口部２１ａと、組み付け孔部２１ｂと、溝部２１ｃとを有する。開口部２１ａは、指針光軸方向Ｙ１に沿って開口され、後述する指針発光体３の円柱軸部３３が挿入される。組み付け孔部２１ｂは、指針キャップ４が組み付けられる部分であり、ここでは、２つ設けられる。溝部２１ｃは、指針延在方向Ｘ１Ｘに沿って溝状に形成され、後述する指針発光体３の指針プリズム部材３１が嵌合される。
【００２１】
円筒軸部２２は、回転軸１０６と指針発光体３とを接続するいわゆる袴とも呼ばれる部分である。円筒軸部２２は、内部が中空の円筒状に形成され、接続板２１から指針光軸方向Ｙ１の背面側に沿って突出して形成される。円筒軸部２２は、内部の中空状の部分が接続板２１を貫通し、指針光軸方向Ｙ１の両側に開口している（図５等参照）。円筒軸部２２は、指針光軸方向Ｙ１の背面側の端部開口に回転軸１０６が嵌合され、指針光軸方向Ｙ１の前面側の開口部２１ａに指針発光体３の円柱軸部３３が挿入され指針プリズム部材３１が溝部２１ｃに嵌合されることで、回転軸１０６と指針発光体３とを接続する。
【００２２】
指針発光体３は、回転軸１０６を介して導光された光によって発光する発光部材である。本実施形態の指針発光体３は、第１光透過体としての指針プリズム部材３１と、第２光透過体としての指針指示部材３２と、円柱軸部３３と、被支持部３４とを有し、これらが組み合わせられることで構成される。
【００２３】
指針プリズム部材３１は、光を屈折して分散させる光学部材である。指針プリズム部材３１は、光透過性材料によって指針延在方向Ｘ１に沿って延在し、指針延在方向Ｘ１の一方側の端部である後端部３１ｅから遠ざかるにしたがって細く形成される。指針プリズム部材３１は、本体部３１ａと、第１反射面３１ｂと、第２反射面３１ｃと、出射面３１ｄとを含んで構成され、これらが光を透過する光透過性の樹脂材料によって一体に形成される。
【００２４】
本体部３１ａは、円柱軸部３３から指針延在方向Ｘ１に沿って延在し、板状に形成された板状部材である。本体部３１ａは、円柱軸部３３から遠ざかるにしたがって細く形成される。本体部３１ａは、略三角形を成す一対の平面部が形成され、当該平面部が指針光軸方向Ｙ１に沿って設けられる。本体部３１ａは、指針光軸方向Ｙ１の前面側に平坦な上面部３１ｆが形成され、指針光軸方向Ｙ１の背面側に平坦な底面部３１ｇが形成される。
【００２５】
第１反射面３１ｂは、入射した入射光を反射する部分である。第１反射面３１ｂは、本体部３１ａの後端部３１ｅに設けられる。第１反射面３１ｂは、例えば、本体部３１ａの後端部３１ｅが指針光軸方向Ｙ１に交差する方向に沿って斜めに切り欠かれた形状に形成される。第１反射面３１ｂは、平坦状に形成され、底面部３１ｇとの成す角度が鋭角（例えば、４５°程度）になるように形成される。第１反射面３１ｂは、円柱軸部３３を介して入射した入射光を底面部３１ｇ側に反射する。
【００２６】
第２反射面３１ｃは、光を拡散して反射する部分である。第２反射面３１ｃは、本体部３１ａの底面部３１ｇに設けられる。言い換えれば、第２反射面３１ｃは、指針光軸方向Ｙ１において指針指示部材３２とは反対側に位置する底面部３１ｇ（端部）に設けられる。第２反射面３１ｃは、凹凸形状に形成された拡散層３１ｈを有する（図６等参照）。拡散層３１ｈは、例えば、拡散性のある着色料が底面部３１ｇにホットスタンプや塗装、蒸着等により形成される。拡散層３１ｈは、着色された色によって指針発光体３の発光色（表示色）を自由に設定することができる。第２反射面３１ｃは、本体部３１ａの形状に合わせて指針延在方向Ｘ１に沿って延在する。第２反射面３１ｃは、第１反射面３１ｂにより反射された入射光を拡散することで指針光軸方向Ｙ１に沿って指針指示部材３２側に反射する。
【００２７】
出射面３１ｄは、光を出射する部分である。出射面３１ｄは、本体部３１ａの上面部３１ｆに設けられる。言い換えれば、出射面３１ｄは、指針光軸方向Ｙ１において指針指示部材３２側の上面部３１ｆ（端部）に設けられる。出射面３１ｄは、本体部３１ａの形状に合わせて指針延在方向Ｘ１に沿って延在する。出射面３１ｄは、指針指示部材３２の接続面３２ａに接続される。出射面３１ｄは、第２反射面３１ｃにより拡散され反射された入射光を指針光軸方向Ｙ１に沿って指針指示部材３２側に出射する。
【００２８】
指針指示部材３２は、光を透過する光学部材である。指針指示部材３２は、光透過性材料によって指針延在方向Ｘ１に沿って指針プリズム部材３１と同等の長さ又は指針プリズム部材３１よりも長く延在し、目視位置ＥＰから視認される視認面３２ｂを有する板状に形成される。つまり、指針指示部材３２は、指針延在方向Ｘ１に沿って細長い線状の板状に形成される。そして、指針指示部材３２は、視認面３２ｂが指針幅方向Ｚ１に沿って弧状（アール状）に形成される。つまり、視認面３２ｂは、目視位置ＥＰ側に突出した凸状に形成される。視認面３２ｂは、指針光軸方向Ｙ１の前面側、つまり目視位置ＥＰ側に向けて配置される。指針指示部材３２は、指針プリズム部材３１側の接続面３２ａが指針プリズム部材３１の出射面３１ｄに接続される。指針指示部材３２は、例えば、接続面３２ａの指針幅方向Ｚ１の略中央に指針プリズム部材３１の出射面３１ｄが指針延在方向Ｘ１に沿って接続される。つまり、指針指示部材３２は、指針プリズム部材３１の出射面３１ｄが指針指示部材３２の接続面３２ａの指針幅方向Ｚ１の略中央に、指針延在方向Ｘ１に沿ってライン状に設けられる。指針発光体３は、指針幅方向Ｚ１及び指針光軸方向Ｙ１に沿った断面視にて指針プリズム部材３１及び指針指示部材３２がＴ字状に形成される。指針指示部材３２は、視認面３２ｂ側から指針プリズム部材３１の露出部分を覆う。指針指示部材３２は、例えば、指針１が回動することが可能な可動範囲において、指針プリズム部材３１が目視位置ＥＰから直接視認されないように覆う（図６参照）。指針指示部材３２は、当該指針指示部材３２の指針幅方向Ｚ１の長さと指針プリズム部材３１の指針光軸方向Ｙ１の長さとの比率を調整することにより、指針プリズム部材３１が目視位置ＥＰから直接視認されないように覆うことができる。
【００２９】
指針指示部材３２は、反射部材としてのハーフミラー３２ｃが視認面３２ｂに設けられる。ハーフミラー３２ｃは、例えば、ホットスタンプや塗装、蒸着等により視認面３２ｂに形成される。ハーフミラー３２ｃは、入射する入射光の一部を反射すると共に当該入射光の残りを透過する。例えば、ハーフミラー３２ｃは、指針光軸方向Ｙ１から入射する入射光を反射光として反射すると共に当該入射光の一部を透過光として透過する。ハーフミラー３２ｃは、例えば、反射光の強度と透過光の強度とが略同じ反射部材である。ハーフミラー３２ｃは、指針光軸方向Ｙ１の前面側、つまり目視位置ＥＰ側が、指針光軸方向Ｙ１の背面側より明るい場合、目視位置ＥＰから鏡面（例えば、金属面）として視認される。一方、ハーフミラー３２ｃは、指針光軸方向Ｙ１の前面側、つまり目視位置ＥＰ側が、指針光軸方向Ｙ１の背面側より暗い場合、目視位置ＥＰから半透明部材のように視認される。本実施形態では、ハーフミラー３２ｃは、指針プリズム部材３１が発光していない場合、目視位置ＥＰからハーフミラー３２ｃの全体が鏡面（例えば、金属面）として視認される。一方、ハーフミラー３２ｃは、指針プリズム部材３１が発光している場合、目視位置ＥＰから指針プリズム部材３１のライン状に発光したライン光が視認されると共に、ハーフミラー３２ｃのライン光以外の部分が鏡面として視認される。
【００３０】
円柱軸部３３は、指針プリズム部材３１の後端部３１ｅから指針光軸方向Ｙ１に沿って円柱状に形成される部分である。円柱軸部３３は、指針基部２の円筒軸部２２の内側に挿通され、指針光軸方向Ｙ１に沿ってモータ１０４の回転軸１０６と同一直線上に配置される。円柱軸部３３は、回転軸１０６を介して導光された光が指針光軸方向Ｙ１に沿って入射する。
【００３１】
被支持部３４は、指針基部２の接続板２１に支持される部分であり、指針プリズム部材３１の本体部３１ａの後端部３１ｅから指針幅方向Ｚ１の両側に板状に突出して形成される（図３等参照）。各被支持部３４は、円柱軸部３３の指針光軸方向Ｙ１の前面側に設けられる。各被支持部３４は、それぞれ組み付け孔部３４ａが形成される。各組み付け孔部３４ａは、指針キャップ４が組み付けられる部分であり、ここでは、各被支持部３４に１つずつ、合計２つ設けられる。各組み付け孔部３４ａは、指針基部２の接続板２１の各組み付け孔部２１ｂと指針光軸方向Ｙ１に沿って同一直線上に位置する。
【００３２】
指針キャップ４は、指針プリズム部材３１から漏れる光を遮光する部材である。指針キャップ４は、遮光性材料によって蓋状に形成され、指針プリズム部材３１の後端部３１ｅを含む部分を覆う。指針キャップ４は、筒部４１と、上面部４２と、複数の突起部４３と、図示しない複数の爪部とを有する。筒部４１は、指針光軸方向Ｙ１に沿って円筒状に形成された部分である。筒部４１は、指針延在方向Ｘ１の一方側に開口部４１ａを有し、この開口部４１ａを介して指針プリズム部材３１が指針延在方向Ｘ１に延在する。上面部４２は、筒部４１の指針光軸方向Ｙ１の前面側を閉塞する部分である。各突起部４３は、上面部４２の筒部４１側に設けられ、指針光軸方向Ｙ１に沿って突起状に形成された部分であり、ここでは、２つ設けられる。各突起部４３は、被支持部３４の各組み付け孔部３４ａ及び接続板２１の各組み付け孔部２１ｂと同一直線上に位置する。各突起部４３は、指針キャップ４が指針発光体３及び指針基部２に組み付けられた状態で、接続板２１の各組み付け孔部２１ｂ及び被支持部３４の各組み付け孔部３４ａに挿通される。各爪部は、筒部４１の上面部４２とは反対側の端部内側に設けられ、指針基部２の接続板２１の外周縁に係止する。指針キャップ４は、各突起部４３が指針発光体３の被支持部３４の各組み付け孔部３４ａ及び指針基部２の接続板２１の各組み付け孔部２１ｂに挿通され、各爪部が指針基部２の接続板２１の外周縁に係止されることで、指針発光体３及び指針基部２に組み付けられる。指針キャップ４は、指針発光体３及び指針基部２に組み付けられた状態で、指針プリズム部材３１の後端部３１ｅから指針光軸方向Ｙ１の前面側、指針幅方向Ｚ１の両側、及び、指針延在方向Ｘ１の後方側から漏れる光を遮光する。
【００３３】
上記のように構成される指針１は、指針発光体３の円柱軸部３３が指針基部２の円筒軸部２２に挿入され且つ指針プリズム部材３１が接続板２１の溝部２１ｃに嵌合される。そして、指針１は、指針キャップ４の各突起部４３が指針発光体３の被支持部３４の各組み付け孔部３４ａ及び指針基部２の接続板２１の各組み付け孔部２１ｂに挿入され、指針キャップ４の各爪部が指針基部２の接続板２１の外周縁に引っ掛けられ係止する。この係止により、指針１は、指針基部２、指針発光体３、及び、指針キャップ４が一体化される。指針１は、指針基部２、指針発光体３、及び、指針キャップ４が一体化された状態で、指針基部２の円筒軸部２２の内側に回転軸１０６が嵌合され、当該回転軸１０６と一体回転可能に接続される。
【００３４】
そして、指針１は、光源１０７から回転軸１０６を介して指針発光体３の円柱軸部３３に入射した光が指針プリズム部材３１の第１反射面３１ｂにより反射される。指針１は、第１反射面３１ｂにより反射された光が指針プリズム部材３１の本体部３１ａにより指針延在方向Ｘ１に沿って当該指針プリズム部材３１の先端側に導光される。このとき、指針１は、指針プリズム部材３１の本体部３１ａの先端側に導光される光が第２反射面３１ｃで拡散、反射し指針光軸方向Ｙ１に沿って出射面３１ｄから出射される。指針１は、指針プリズム部材３１の第１反射面３１ｂから先端側に向けて細く形成されているので、第１反射面３１ｂにより反射した光を第２反射面３１ｃにより拡散、反射しつつ先端部側に向けて収束させ、指針プリズム部材３１の本体部３１ａを均等に発光させる。指針１は、出射面３１ｄから出射された光が指針光軸方向Ｙ１に沿って指針指示部材３２を透過する。この結果、指針１は、図７に示すように、発光状態において目視位置ＥＰから見て指針指示部材３２の視認面３２ｂの略中央に指針延在方向Ｘ１に沿ってライン状に発光した指針プリズム部材３１のライン光が視認される。指針１は、指針キャップ４が指針プリズム部材３１の後端部３１ｅを覆うことで回転軸１０６を介して導光された光のうちの漏れ光を遮光する。一方、指針１は、図８に示すように、非発光状態において目視位置ＥＰから見て指針プリズム部材３１が視認されず、指針指示部材３２のハーフミラー３２ｃの全体が鏡面（例えば、金属面）として視認される。
【００３５】
以上のように、実施形態に係る指針１は、指針プリズム部材３１及び指針指示部材３２を有する指針発光体３を備える。指針プリズム部材３１は、光透過性材料によって指針延在方向Ｘ１に沿って延在し指針延在方向Ｘ１の一方側の端部である後端部３１ｅから遠ざかるにしたがって細く形成される。指針指示部材３２は、光透過性材料によって指針延在方向Ｘ１に沿って延在し、指針延在方向Ｘ１と交差する指針幅方向Ｚ１に沿って板状に形成される。そして、指針指示部材３２は、指針プリズム部材３１側の接続面３２ａが当該指針プリズム部材３１に接続され、接続面３２ａとは反対側の視認面３２ｂ側から指針プリズム部材３１の露出部分を覆う。指針プリズム部材３１は、第１反射面３１ｂと、第２反射面３１ｃと、出射面３１ｄとを有する。第１反射面３１ｂは、指針プリズム部材３１の後端部３１ｅに設けられ、入射した入射光を反射する。第１反射面３１ｂは、入射光の光軸方向である指針光軸方向Ｙ１において指針指示部材３２とは反対側の端部である底面部３１ｇに設けられ、第１反射面３１ｂにより反射された入射光を指針光軸方向Ｙ１に沿って指針指示部材３２側に反射する。出射面３１ｄは、指針光軸方向Ｙ１において指針指示部材３２側の端部である上面部３１ｆに設けられ、指針指示部材３２の接続面３２ａに接続され、第２反射面３１ｃにより反射された入射光を指針光軸方向Ｙ１に沿って指針指示部材３２側に出射する。
【００３６】
この構成により、指針１及び車両表示装置１００は、指針プリズム部材３１が第１反射面３１ｂから遠ざかるに従って細く形成されているので、第１反射面３１ｂから入射した入射光を第２反射面３１ｃにより反射しつつ先端部側に向けて収束させることができる。この結果、指針１及び車両表示装置１００は、指針プリズム部材３１を均等に発光することができる。また、指針１及び車両表示装置１００は、指針発光体３が発光していない状態（非発光状態）において、指針指示部材３２の視認面３２ｂが視認され当該視認面３２ｂとは反対側の指針プリズム部材３１が視認されることを抑制できる。この構成により、指針１及び車両表示装置１００は、非発光状態で指針プリズム部材３１を運転者（乗員）に隠した状態で板状の指針指示部材３２を視認させることができ、あたかも指針１が薄く形成されているかのように視認させることができ意匠性を向上できる。一方、指針１及び車両表示装置１００は、指針発光体３が発光している状態（発光状態）において、指針プリズム部材３１の出射面３１ｄから出射した光が指針光軸方向Ｙ１に沿って指針指示部材３２を透過する。この発光により、指針１及び車両表示装置１００は、視認位置ＥＰから見て指針指示部材３２の内部（裏側）から指針プリズム部材３１をライン状に発光させることができる。この発光により、指針１及び車両表示装置１００は、指針発光体３を斬新な態様で発光することができる。この結果、指針１及び車両表示装置１００は、非発光状態における薄板の金属調による視認と、発光状態におけるライン状の斬新な態様による視認とを実現することができ、意匠性を高めることができる。
【００３７】
また、上記指針１において、指針指示部材３２は、視認面３２ｂに設けられ入射する入射光の一部を反射すると共に当該入射光の残りを透過するハーフミラー３２ｃを有する。この構成により、指針指示部材３２は、指針プリズム部材３１が発光していない場合、目視位置ＥＰからハーフミラー３２ｃの全体が鏡面（例えば、金属面）として視認され、一枚の平板として視認させることができる。また、指針指示部材３２は、指針プリズム部材３１が発光している場合、目視位置ＥＰから一枚の平板として鏡面（例えば、金属面）が視認されると共に、指針プリズム部材３１によるライン状に発光したライン光が視認される。この結果、指針１は、斬新な態様で視認させることができる。また、指針指示部材３２は、接続面３２ａに指針プリズム部材３１が接続されているので、この指針プリズム部材３１を補強リブとして作用させることができる。この作用により、指針指示部材３２は、ハーフミラー３２ｃの形成時にホットスタンプ等により熱を加える場合、当該指針指示部材３２が熱変形することを抑制することができる。また、指針指示部材３２は、指針プリズム部材３１の接続により体積が増加するので、ホットスタンプ等により熱を加える場合に放熱効果を高めることができ、指針指示部材３２が熱変形することを抑制することができる。
【００３８】
また、上記指針１において、第２反射面３１ｃは、凹凸形状に形成された拡散層３１ｈを有する。この構成により、第２反射面３１ｃは、第１反射面３１ｂにより反射された入射光を拡散層３１ｈにより拡散することで、指針プリズム部材３１の本体部３１ａを均等に発光させることができる。
【００３９】
〔変形例〕
次に、実施形態の変形例について説明する。指針指示部材３２は、視認面３２ｂが目視位置ＥＰ側に突出した弧状に形成される例について説明したが、これに限定されない。例えば、指針指示部材３２Ａは、図９に示すように、視認面３２ｂを指針幅方向Ｚ１に沿って平面状に形成し且つ視認面３２ｂの指針幅方向Ｚ１の角を面取りしてＣ面を形成してもよい。指針指示部材３２Ａは、平面状且つＣ面に形成された視認面３２ｂにハーフミラー３２ｃが形成される。この構成により、指針指示部材３２Ａは、ハーフミラー３２ｃが形成された視認面３２ｂを目視位置ＥＰから金属面を強調して視認させることができる。また、指針指示部材３２Ｂは、図１０に示すように、視認面３２ｂを指針幅方向Ｚ１に沿って平面状に形成してもよい。指針指示部材３２Ｂは、平面状に形成された視認面３２ｂにハーフミラー３２ｃが形成される。この構成により、指針指示部材３２Ｂは、ハーフミラー３２ｃが形成された視認面３２ｂを目視位置ＥＰから金属面として視認させることができる。
【００４０】
反射部材は、ハーフミラー３２ｃに限定されない。例えば、反射部材は、反射部材の一方の面は鏡のように見え、他方の面は反射部材を透過した先が見える部材であればハーフミラー３２ｃ以外でもよい。
【００４１】
〔参考例〕
次に、実施形態の参考例について説明する。本参考例の指針２０１は、図１１、図１２、図１３、図１４、図１５、図１６、図１７に示すように、接続基部としての指針ステム２０２と、指針発光体２０３と、バランサ２０４と、指針遮光体としての指針キャップ２０５とを備え、上記のように回転軸１０６を介して導光された光によって指針発光体２０３の全体が発光する。
【００４２】
具体的には、指針ステム２０２は、回転軸１０６と指針発光体２０３とを接続し、指針発光体２０３を回転軸１０６に一体回転可能に支持する接続支持部材である。指針ステム２０２は、基部２２１と、円筒軸部２２２と、バランサ支持部２２３とを有し、これらが光を遮光する遮光性の樹脂材料によって一体に形成される。基部２２１は、指針延在方向Ｘ１に沿って延在する板状に形成され指針光軸方向Ｙ１の一方側の面に指針発光体２０３を支持する部分である。基部２２１は、円筒軸部２２２が接続される部分が略円形板状に形成され、当該略円形板状の部分に組み付け孔部２２１ａが形成される（図１２等参照）。組み付け孔部２２１ａは、指針キャップ２０５が組み付けられる部分である。円筒軸部２２２は、回転軸１０６と指針発光体２０３とを接続する部分であり、内部が中空の円筒状に形成される。円筒軸部２２２は、指針光軸方向Ｙ１の一方の端部開口に回転軸１０６が嵌合され、指針光軸方向Ｙ１の他方の端部開口に後述する指針発光体２０３の軸部２３１ａが嵌合されることで、回転軸１０６と軸部２３１ａとを一体回転可能に接続する。バランサ支持部２２３は、バランサ２０４を支持する部分であり、基部２２１とは指針延在方向Ｘ１の反対側に設けられる。
【００４３】
指針発光体２０３は、回転軸１０６を介して導光された光によって発光する発光部材であり、指針本体を構成する。本実施形態の指針発光体２０３は、指針プリズム部材２３１と、光透過性キャップ２３２と、拡散層２３３とを有し、これらが組み合わせられることで構成される。指針プリズム部材２３１は、光透過性材料によって指針延在方向Ｘ１に沿って延在して形成され、軸部２３１ａに入射した光を第１出射面２３１ｅから指針光軸方向Ｙ１に沿って前面側に出射するものである。指針プリズム部材２３１は、軸部２３１ａと、本体部２３１ｂと、被支持部２３１ｃと、導光中空部２３１ｄと、第１出射面２３１ｅとを有し、これらが光を透過する光透過性の樹脂材料によって一体に形成される。軸部２３１ａは、指針光軸方向Ｙ１に沿って柱状に形成される部分であり、上述したように、指針ステム２０２の円筒軸部２２２を介して回転軸１０６と一体回転可能に接続される（図１４等参照）。軸部２３１ａは、当該回転軸１０６を介して導光された光が指針光軸方向Ｙ１に沿って入射する入射部として機能する。本体部２３１ｂは、軸部２３１ａの端部から指針延在方向Ｘ１に沿って延在して形成される部分である。本体部２３１ｂは、指針光軸方向Ｙ１に対して軸部２３１ａ側とは反対側の面が第１出射面２３１ｅを構成する。複数の被支持部２３１ｃは、指針ステム２０２の基部２２１の略円形板状の部分に支持される部分であり、それぞれ組み付け孔部２３１ｆが形成される（図１２等参照）。組み付け孔部２３１ｆは、指針キャップ２０５が組み付けられる部分である。導光中空部２３１ｄは、軸部２３１ａと本体部２３１ｂとの接続部分、ここでは、当該接続部分の本体部２３１ｂ側に中空状に形成される部分である（図１２等参照）。導光中空部２３１ｄは、当該導光中空部２３１ｄを形成する面が軸部２３１ａに入射した光を指針延在方向Ｘ１に反射し拡散させて本体部２３１ｂの全体に導光する反射導光面として機能する。第１出射面２３１ｅは、指針プリズム部材２３１において、回転軸１０６から軸部２３１ａに入射し、導光中空部２３１ｄによって指針延在方向Ｘ１に反射、拡散され本体部２３１ｂに導光された光を指針光軸方向Ｙ１に沿って当該指針光軸方向Ｙ１の前面側に出射する面である。
【００４４】
光透過性キャップ２３２は、光透過性材料によって指針延在方向Ｘ１に沿って延在する。そして、光透過性キャップ２３２は、指針光軸方向Ｙ１に対して第１出射面２３１ｅと対向して形成され、第１出射面２３１ｅから出射され入射面２３２ｂに入射した光を第２出射面２３２ｃから指針光軸方向Ｙ１に沿って前面側に出射するものである。光透過性キャップ２３２は、本体部２３２ａと、入射面２３２ｂと、第２出射面２３２ｃとを有し、これらが光を透過する光透過性の樹脂材料によって一体に形成される。本体部２３２ａは、指針プリズム部材２３１の本体部２３１ｂの形状に合わせて指針延在方向Ｘ１に沿って延在して形成される。本体部２３２ａは、指針光軸方向Ｙ１に対して指針プリズム部材２３１の第１出射面２３１ｅと対向する面、すなわち、指針光軸方向Ｙ１の背面側の面が入射面２３２ｂを構成する。一方、本体部２３２ａは、指針光軸方向Ｙ１に対して指針プリズム部材２３１の第１出射面２３１ｅと対向する面とは反対側の面、すなわち、指針光軸方向Ｙ１の前面側の面が第２出射面２３２ｃを構成し、当該第２出射面２３２ｃが指針光軸方向Ｙ１の前面側の意匠面として機能する。本体部２３２ａは、指針光軸方向Ｙ１の前面側から見て意匠性を高めた形状に形成される。本体部２３２ａは、例えば、指針延在方向Ｘ１において指針幅方向Ｚ１の幅長が異なる意匠が形成される。具体的には、本体部２３２ａは、例えば矢の形状に形成され、指針延在方向Ｘ１の先端部２３２ｄが鏃形状に形成され、指針延在方向Ｘ１の後端部２３２ｅが矢羽形状に形成される。本体部２３２ａは、その先端部２３２ｄの指針幅方向Ｚ１の長さが後述する指針キャップ２０５の指針幅方向Ｚ１の長さと同等である（図１６参照）。また、本体部２３２ａは、その後端部２３２ｅの指針幅方向Ｚ１の長さが指針キャップ２０５の指針幅方向Ｚ１の長さと同等である。また、本体部２３２ａは、先端部２３２ｄと後端部２３２ｅとの間の中間部２３２ｆの指針幅方向Ｚ１の長さが指針キャップ２０５の指針幅方向Ｚ１の長さよりも短い（図１５参照）。なお、光透過性キャップ２３２は、本体部２３２ａの意匠が上述の例に限定されず、他の意匠であってもよい。
【００４５】
入射面２３２ｂは、光透過性キャップ２３２において、指針プリズム部材２３１の第１出射面２３１ｅから出射された光が入射する面である。第２出射面２３２ｃは、光透過性キャップ２３２において、入射面２３２ｂに入射した光を指針光軸方向Ｙ１に沿って当該指針光軸方向Ｙ１の前面側に出射する面である。光透過性キャップ２３２は、第２出射面２３２ｃが光を屈折させて発散させるレンズを構成するように湾曲して曲面状に形成される（図１６等参照）。ここでは、第２出射面２３２ｃは、指針光軸方向Ｙ１、及び、指針幅方向Ｚ１に沿った断面視（図１６参照）にて指針光軸方向Ｙ１に対して入射面２３２ｂとは反対側、すなわち、出射側に突出した凸部状に形成される。拡散層２３３は、光を拡散させる層である。本実施形態の拡散層２３３は、指針プリズム部材２３１の第１出射面２３１ｅに密着して設けられ、指針プリズム部材２３１の第１出射面２３１ｅから出射され光透過性キャップ２３２の入射面２３２ｂに入射する光を拡散させる。バランサ２０４は、指針ステム２０２に支持される指針発光体２０３との重量バランスを調整する部分である。バランサ２０４は、指針ステム２０２のバランサ支持部２２３に収容され支持される。
【００４６】
指針キャップ２０５は、指針発光体２０３に装着され一部の光を遮光する遮光部材である。指針キャップ２０５は、遮光性材料によって指針延在方向Ｘ１に沿って延在して形成され、指針プリズム部材２３１を指針幅方向Ｚ１の両側から覆い指針プリズム部材２３１から指針幅方向Ｚ１に沿って漏れる光を遮光する。指針キャップ２０５は、軸部カバー部２５１と、スリット部２５２とを有し、これらが光を遮光する遮光性の樹脂材料によって一体に形成される。軸部カバー部２５１は、ドーム状に形成され、指針プリズム部材２３１の第１出射面２３１ｅ側から装着され指針プリズム部材２３１の一部を覆う。スリット部２５２は、側壁部２５２ａを有し、当該側壁部２５２ａによって指針プリズム部材２３１の本体部２３１ｂを収容する中空状部２５２ｂが形成された部分である。スリット部２５２は、軸部カバー部２５１が指針プリズム部材２３１に装着された状態で、上記中空状部２５２ｂ内に指針プリズム部材２３１における本体部２３１ｂが収容され、上記開口から当該本体部２３１ｂの第１出射面２３１ｅ、及び、拡散層２３３を指針光軸方向Ｙ１前面側に露出させ、指針プリズム部材２３１の本体部２３１ｂから指針幅方向Ｚ１に沿って漏れる光を遮光する。
【００４７】
以上で説明した参考例に係る指針２０１によれば、指針発光体２０３と、指針キャップ２０５とを備える。指針発光体２０３は、指針プリズム部材２３１と、光透過性キャップ２３２と、拡散層２３３とを有する。指針プリズム部材２３１は、光透過性材料によって指針延在方向Ｘ１に沿って延在して形成され、入射した光を第１出射面２３１ｅから指針延在方向Ｘ１と交差する指針光軸方向Ｙ１に沿って出射する。光透過性キャップ２３２は、光透過性材料によって指針延在方向Ｘ１に沿って延在する。そして、光透過性キャップ２３２は、指針光軸方向Ｙ１に対して第１出射面２３１ｅと対向し指針延在方向Ｘ１において指針幅方向Ｚ１の幅長が異なる意匠が形成され、第１出射面２３１ｅから出射され入射した光を第２出射面２３２ｃから指針光軸方向Ｙ１に沿って出射する。拡散層２３３は、第１出射面２３１ｅから出射され光透過性キャップ２３２に入射する光を拡散させる。指針キャップ２０５は、遮光性材料によって指針延在方向Ｘ１に沿って延在して形成され、指針プリズム部材２３１を指針光軸方向Ｙ１及び指針延在方向Ｘ１と交差する指針幅方向Ｚ１の両側から覆い指針プリズム部材２３１から指針幅方向Ｚ１に沿って漏れる光を遮光する。そして、光透過性キャップ２３２は、形成された意匠により少なくとも指針幅方向Ｚ１に対して第２出射面２３２ｃから光を出射する。
【００４８】
この構成により、指針２０１、車両表示装置１００は、指針発光体２０３において、指針プリズム部材２３１に入射した光が第１出射面２３１ｅから指針光軸方向Ｙ１に沿って出射され、光透過性キャップ２３２に入射し第２出射面２３２ｃから指針光軸方向Ｙ１に沿って出射されることで指針発光体２０３の全体が発光する。このとき、指針２０１、車両表示装置１００は、指針キャップ２０５の側壁部２５２ａ等によって指針プリズム部材２３１から指針幅方向Ｚ１に沿って漏れる光が遮光されることで指針光軸方向Ｙ１前面側、すなわち、運転者等によって視認される側への発光領域以外の発光領域を限定し指針発光体２０３の輪郭をシャープに見せることができる。また、指針２０１、車両表示装置１００は、光源１０７からの光を効率的に運転者等によって視認される側へ出射することができ、ロスを抑制することができ、輝度の低下を抑制することができる。その上で、指針２０１、車両表示装置１００は、拡散層２３３による光の拡散、及び、光透過性キャップ２３２の意匠によって斬新な態様で発光することができる。
【符号の説明】
【００４９】
１  指針（車両表示装置用指針）
３  指針発光体
３１  指針プリズム部材（第１光透過体）
３１ｂ  第１反射面
３１ｃ  第２反射面
３１ｄ  出射面
３１ｅ  後端部
３１ｇ  底面部（端部）
３１ｆ  上面部（端部）
３１ｈ  拡散層
３２ａ  接続面
３２ｂ  視認面
３２ｃ  ハーフミラー（反射部材）
３２、３２Ａ、３２Ｂ  指針指示部材（第２光透過体）
Ｘ１  指針延在方向
Ｙ１  指針光軸方向
Ｚ１  指針幅方向
１００  車両表示装置
１０２  筐体
１０４  モータ（駆動部）
１０６  回転軸
１０７  光源
【図１】
2018197655.tif 000003
【図２】
2018197655.tif 000004
【図３】
2018197655.tif 000005
【図４】
2018197655.tif 000006
【図５】
2018197655.tif 000007
【図６】
2018197655.tif 000008
【図７】
2018197655.tif 000009
【図８】
2018197655.tif 000010
【図９】
2018197655.tif 000011
【図１０】
2018197655.tif 000012
【図１１】
2018197655.tif 000013
【図１２】
2018197655.tif 000014
【図１３】
2018197655.tif 000015
【図１４】
2018197655.tif 000016
【図１５】
2018197655.tif 000017
【図１６】
2018197655.tif 000018
【図１７】
2018197655.tif 000019